(57)【特許請求の範囲】
【請求項１】
絶縁操作棒の先端部に金属製の先端工具が取り付けられた間接活線工具を保護するための間接活線工具用保護カバーであって、
前記絶縁操作棒に取り付けられる取付部と、
前記取付部に連結され、電気絶縁性の筒状で、前記絶縁操作棒と前記先端工具との接続部を覆い前記先端工具側に延びる保護部と、
を備えることを特徴とする間接活線工具用保護カバー。
【請求項２】
前記先端工具に対する前記保護部の位置を調整自在となっている、
ことを特徴とする請求項１に記載の間接活線工具用保護カバー。
【請求項３】
前記保護部は、透明または半透明となっている、
ことを特徴とする請求項１または２のいずれか１項に記載の間接活線工具用保護カバー。
【請求項４】
絶縁操作棒の先端部に金属製の先端工具が取り付けられた間接活線工具であって、
前記絶縁操作棒に配設された取付部と、
前記取付部に連結され、電気絶縁性の筒状で、前記絶縁操作棒と前記先端工具との接続部を覆い前記先端工具側に延びる保護部と、
を備えることを特徴とする間接活線工具。
【請求項５】
前記先端工具に対する前記保護部の位置を調整自在となっている、
ことを特徴とする請求項４に記載の間接活線工具。
【請求項６】
前記保護部は、透明または半透明となっている、
ことを特徴とする請求項４または５のいずれか１項に記載の間接活線工具。
【発明の詳細な説明】
【技術分野】
【０００１】
この発明は、間接活線工具に取り付けられる間接活線工具用保護カバーおよび、保護カバーを備えた間接活線工具に関する。
【背景技術】
【０００２】
近年、安全性をより確保するために、間接活線工具を用いて通電状態のままで作業を行う間接活線工法が、多く採用されている。この間接活線工具は、絶縁操作棒（ホットスティック）の先端部に用途、目的に適した先端工具を取り付けて作業を行うものであり、例えば、電線にバインド打ちを行うためにフック状の先端工具を使用する（例えば、特許文献１参照。）。
【先行技術文献】
【特許文献】
【０００３】
【特許文献１】特開２００７−２２１９１８号公報
【発明の概要】
【発明が解決しようとする課題】
【０００４】
ところで、先端工具は、強度や耐久性などを確保するために、金属製で通電性を有している。このため、先端工具自体が、高圧充電部に接触することで受電状態となり、外部部材や人が先端工具に接することによる、地絡事故（停電）や感電などを引き起こすおそれがあった。殊に、複数の間接活線工具を使用する場合に、先端工具同士が接触して地絡事故などを引き起こすおそれがあった。このため、先端工具の周辺に絶縁シートなどの防具を配設しているが、地絡事故や感電などを効果的に防止、抑制することが困難であるばかりでなく、作業性が低下するおそれがあった。
【０００５】
そこでこの発明は、地絡事故や感電などを防止、抑制することが可能な、間接活線工具用保護カバーおよび間接活線工具を提供することを目的とする。
【課題を解決するための手段】
【０００６】
上記課題を解決するために、請求項１の発明は、絶縁操作棒の先端部に金属製の先端工具が取り付けられた間接活線工具を保護するための間接活線工具用保護カバーであって、前記絶縁操作棒に取り付けられる取付部と、前記取付部に連結され、電気絶縁性の筒状で、前記絶縁操作棒と前記先端工具との接続部を覆い前記先端工具側に延びる保護部と、を備えることを特徴とする。
【０００７】
この発明によれば、間接活線工具用保護カバーの取付部を絶縁操作棒に取り付けると、絶縁操作棒と先端工具との接続部が保護部で覆われ、さらに、保護部が先端工具側に延びる。
【０００８】
請求項２の発明は、請求項１に記載の間接活線工具用保護カバーにおいて、前記先端工具に対する前記保護部の位置を調整自在となっている、ことを特徴とする。
【０００９】
請求項３の発明は、請求項１または２に記載の間接活線工具用保護カバーにおいて、前記保護部は、透明または半透明となっている、ことを特徴とする。
【００１０】
請求項４の発明は、絶縁操作棒の先端部に金属製の先端工具が取り付けられた間接活線工具であって、前記絶縁操作棒に配設された取付部と、前記取付部に連結され、電気絶縁性の筒状で、前記絶縁操作棒と前記先端工具との接続部を覆い前記先端工具側に延びる保護部と、を備えることを特徴とする。
【００１１】
請求項５の発明は、請求項４に記載の間接活線工具において、前記先端工具に対する前記保護部の位置を調整自在となっている、ことを特徴とする。
【００１２】
請求項６の発明は、請求項４または５に記載の間接活線工具において、前記保護部は、透明または半透明となっている、ことを特徴とする。
【発明の効果】
【００１３】
請求項１および請求項４の発明によれば、電気絶縁性の保護部で絶縁操作棒と先端工具との接続部が覆われ、さらに、保護部が先端工具側に延びるため、先端工具の根元（絶縁操作棒側）が保護部で覆われる。このため、外部部材や人が受電状態の先端工具に接することによる地絡事故や感電などを防止、抑制することが可能となる。また、取付部（保護カバー）を絶縁操作棒（間接活線工具）に取り付けるだけであるため、絶縁シートなどの配設に要する時間や労力を削減することができ、しかも、作業性が低下しない。
【００１４】
請求項２および請求項５の発明によれば、先端工具に対する保護部の位置が調整自在なため、先端工具の種類や形状などに応じて保護部の位置を調整することで、先端工具の機能を損なわない範囲で先端工具を適正（十分）に覆って、地絡事故や感電などをより効果的に防止、抑制することが可能となる。
【００１５】
請求項３および請求項６の発明によれば、保護部が透明または半透明であるため、保護部を介して先端工具や作業対象などを目視することができる。この結果、地絡事故や感電などを防止、抑制しつつ、適正に作業を行うことが可能となる。
【図面の簡単な説明】
【００１６】
【図１】この発明の実施の形態１に係る間接活線工具用保護カバーを間接活線工具に取り付けた状態を示す正面図である。
【図２】図１の間接活線工具用保護カバーを示す正面図（ａ）と底面図（ｂ）である。
【図３】図２の間接活線工具用保護カバーを展開した状態を示す図である。
【図４】この発明の実施の形態２に係る間接活線工具用保護カバーを示す正面図である。
【図５】図４のＡ−Ａ断面図である。
【発明を実施するための形態】
【００１７】
以下、この発明を図示の実施の形態に基づいて説明する。
【００１８】
（実施の形態１）
図１は、この実施の形態に係る間接活線工具用保護カバー１を間接活線工具１００に取り付けた状態を示す正面図である。この間接活線工具用保護カバー１は、絶縁操作棒１０１の先端部に金属製の先端工具１１０が取り付けられた（接続された）間接活線工具１００を保護するための保護カバーであり、主として、取付部２と保護部３とを備えている。
【００１９】
間接活線工具１００は、既存、既製の間接活線工具と同等の構成となっている。すなわち、絶縁操作棒１０１は、電気絶縁製で丸棒状の操作棒本体１０２の先端に金属製の第１の接続部材１０３が配設され、操作棒本体１０２の中央部の数箇所に円錐台状の雨切りツバ１０４が配設されている。また、先端工具１１０は、この実施の形態では、電線へのバインド打ちなどを行うための工具を図示、例示しており、先端にフック部１１１が設けられ、中央部に水平に延びる横棒部１１２が設けられ、さらに、下端には第２の接続部材１１３が設けられている。そして、第１の接続部材１０３と第２の接続部材１１３とが接離自在となっており、これにより、絶縁操作棒１０１の先端部に種々の先端工具１１０を着脱自在に取り付けられるようになっている。
【００２０】
ここで、絶縁操作棒１０１に先端工具１１０を直接取り付ける場合について示しているが、アダプタを介して先端工具１１０を取り付けるものであってもよい。また、絶縁操作棒１０１に先端工具１１０が取り付けられた状態における第１の接続部材１０３と第２の接続部材１１３とを、絶縁操作棒１０１と先端工具１１０との接続部１２０とする。
【００２１】
間接活線工具用保護カバー１は、このような間接活線工具１００を操作することによる地絡事故や感電などの事故を防止、抑制するための防具であり、全体が透明（または半透明）な電気絶縁材（例えば、強化プラスチック）で構成され、図２、図３に示すように、取付部２と保護部３とが一体的に形成されている。
【００２２】
取付部２は、絶縁操作棒１０１に取り付けられるものであり、操作棒本体１０２の外径とほぼ同径の内径を有する略円筒体である。保護部３は、取付部２に連結され、電気絶縁性の筒状で、絶縁操作棒１０１と先端工具１１０との接続部１２０を覆い先端工具１１０側に延びるものである。すなわち、保護部３は、図２に示すように、取付部２よりも大径の略円筒体で、取付部２と同心に配設され、下端部の全周縁と取付部２の上端部の全周縁とが、平たいリング状の連結部４で隙間なく連結されている。
【００２３】
そして、取付部２、保護部３および連結部４が、軸心を通る面で縦に半割りされて、図３に示すように、第１の取付部２１と第２の取付部２２、第１の保護部３１と第２の保護部３２、第１の連結部４１と第２の連結部４２が構成されている。
【００２４】
第１の取付部２１の軸心方向に延びる両側縁には、第１のツバ部２１ａが形成され、この第１のツバ部２１ａの中央部にネジ孔２１ｂが形成されている。同様に、第２の取付部２２の軸心方向に延びる両側縁には、第２のツバ部２２ａが形成され、この第２のツバ部２２ａの中央部にボルト挿入孔２２ｂが形成されている。
【００２５】
そして、図２に示すように、第１の取付部２１と第２の取付部２２とで操作棒本体１０２を挟んだ状態で、ボルト２３をボルト挿入孔２２ｂに挿入してネジ孔２１ｂに締め込むことで、第１の取付部２１と第２の取付部２２とが操作棒本体１０２を強固に挟持する。これにより、取付部２つまり間接活線工具用保護カバー１が縁操作棒１０１に取り付けられる。また、ボルト２３を外して第１の取付部２１と第２の取付部２２とを離す（開く）ことで、操作棒本体１０２の挟持が解除され、間接活線工具用保護カバー１が縁操作棒１０１から取り外れる。このようにして、間接活線工具用保護カバー１が縁操作棒１０１に着脱自在となっている。
【００２６】
第１の保護部３１の軸心方向に延びる一側縁と、第２の保護部３２の軸心方向に延びる一側縁とは、ヒンジ３３によって開閉自在に接続され、閉じた際に円筒状の保護部３が形成されるようになっている。また、第１の保護部３１の他側縁の上下部には、半円板状の第１のツメ部３１ａが形成され、この第１のツメ部３１ａの中央部に係止孔３１ｂが形成されている。同様に、第２の保護部３２の他側縁の上下部には、半円板状の第２のツメ部３２ａが形成され、この第２のツメ部３２ａの中央部に係止ピン３２ｂが形成されている。
【００２７】
そして、第１の保護部３１と第２の保護部３２とを閉じて、係止ピン３２ｂを係止孔３１ｂに係止することで、第１の保護部３１と第２の保護部３２とが接続されて、円筒状の保護部３が形状維持される。また、係止ピン３２ｂと係止孔３１ｂとの係止を解除することで、第１の保護部３１と第２の保護部３２とが開くようになっている。このような第１の保護部３１と第２の保護部３２の開閉に伴って、第１の取付部２１と第２の取付部２２および第１の連結部４１と第２の連結部４２も開閉するものである。
【００２８】
このような保護部３の内径は、種々の先端工具１１０を筒内に収容できる範囲で、できるだけ小さく設定されている。また、保護部３の軸方向の長さは、取付部２を操作棒本体１０２の第１の接続部材１０３側に取り付けた状態で、保護部３で接続部１２０を完全に覆い、かつ、できるだけ広く先端工具１１０を覆うように設定されている。すなわち、先端工具１１０を用いた作業に支障がない範囲で、できるだけ広く先端工具１１０の接続部１２０側をカバーできるように設定されている。
【００２９】
さらに、先端工具１１０に対する保護部３の位置が調整自在となっている。すなわち、この実施の形態では、操作棒本体１０２に対する取付部２の取付位置を変えることで、保護部３の配設位置が移動し、先端工具１１０に対する保護部３の位置が調整できるものである。このように、間接活線工具用保護カバー１は、既存、既製の間接活線工具１００に着脱自在で、しかも、先端工具１１０に対する保護部３の位置を調整できるようになっている。
【００３０】
次に、このような構成の間接活線工具用保護カバー１および、間接活線工具用保護カバー１を備えた間接活線工具１００の作用などについて説明する。
【００３１】
まず、間接活線工具用保護カバー１を間接活線工具１００に取り付けるには、第１の保護部３１と第２の保護部３２を開き、第１の取付部２１と第２の取付部２２とで操作棒本体１０２の第１の接続部材１０３側を挟むようにして、第１の保護部３１と第２の保護部３２を閉じ、係止ピン３２ｂを係止孔３１ｂに係止する。次に、間接活線工具用保護カバー１を操作棒本体１０２に沿って移動させて、保護部３で接続部１２０を完全に覆い、かつ、できるだけ広く先端工具１１０を覆うように、先端工具１１０に対する保護部３の位置を調整する。そして、ボルト２３をネジ孔２１ｂに締め込んで、間接活線工具用保護カバー１を縁操作棒１０１に固定する。
【００３２】
このようにして間接活線工具用保護カバー１を取り付けた状態で、絶縁操作棒１０１を手で持って、先端工具１１０を操作して作業を行う。この際、透明な間接活線工具用保護カバー１を介して先端工具１１０や作業対象などを目視で確認しながら、先端工具１１０を操作する。また、接続部１２０および先端工具１１０の根元側（反先端側）が保護部３で覆われているため、接続部１２０や先端工具１１０が他の間接活線工具や人などに接触するのが防止、抑制される。
【００３３】
また、先端工具１１０を取り替える場合には、まず、ボルト２３を緩めて間接活線工具用保護カバー１を下方（反先端工具１１０）に移動させ、接続部１２０の周囲を解放する。次に、先端工具１１０を絶縁操作棒１０１から外して、新たな先端工具１１０を絶縁操作棒１０１に取り付ける。そして、上記と同様に、間接活線工具用保護カバー１を移動させて保護部３の位置を調整した後に、間接活線工具用保護カバー１を縁操作棒１０１に固定するものである。
【００３４】
以上のように、間接活線工具用保護カバー１および、間接活線工具用保護カバー１を備えた間接活線工具１００によれば、電気絶縁性の保護部３で絶縁操作棒１０１と先端工具１１０との接続部１２０が覆われ、さらに、保護部３が先端工具１１０側に延びて、先端工具１１０ができるだけ広く保護部３で覆われる。このため、外部部材や人が受電状態の先端工具１１０に接することによる地絡事故や感電などを効果的に防止、抑制することが可能となり、安全性や作業の信頼性が高まる。また、間接活線工具用保護カバー１（取付部２）を間接活線工具１００（絶縁操作棒１０１）に取り付けるだけであるため、絶縁シートなどの配設に要する時間や労力を削減することができ、しかも、絶縁シートなどを配設する場合に比べて作業性が低下しない。
【００３５】
また、先端工具１１０に対する保護部３の位置が調整自在なため、先端工具１１０の種類や形状、大きさなどに応じて保護部３の位置を調整することで、先端工具１１０の機能や操作性を損なわない範囲で先端工具１１０を適正（十分）に覆って、地絡事故や感電などをより効果的に防止、抑制することが可能となる。
【００３６】
さらに、保護部３を含む間接活線工具用保護カバー１全体が透明（または半透明）であるため、間接活線工具用保護カバー１を介して先端工具１１０の動きや作業対象などを目視で確認することができる。この結果、地絡事故や感電などを防止、抑制しつつ、適正に作業を行うことが可能となる。また、間接活線工具用保護カバー１を既存、既製の間接活線工具１００に着脱自在なため、従来の間接活線工具１００をそのまま使用することができ、設備費用を軽減することができる。
【００３７】
（実施の形態２）
図４は、この実施の形態に係る間接活線工具用保護カバー１を示す正面図である。この実施の形態では、取付部２つまり間接活線工具用保護カバー１を操作棒本体１０２に対して、ワンタッチで移動したり固定したりできる点で、実施の形態１と構成が異なり、実施の形態１と同等の構成については同一符号を付することで、その説明を省略する。
【００３８】
この実施の形態では、取付部２が一体の円筒状で、この取付部２に板バネ体２４が装着されている。この板バネ体２４は、板バネで構成され、図５に示すように、円筒部２４ａの左右に凸部２４ｂを有する環状体で、外力がかからない状態での円筒部２４ａの内径は、操作棒本体１０２の外径よりもやや小さく設定されている。また、少なくとも凸部２４ｂには、電気絶縁処理が施されている。
【００３９】
一方、取付部２の側壁には、対向する２つの挿入窓２５が形成され、円筒部２４ａが取付部２内に位置し、各凸部２４ｂが各挿入窓２５に挿入されて取付部２の外周面から突出した状態で、板バネ体２４が取付部２に装着されている。また、このような装着状態において、円筒部２４ａ内に操作棒本体１０２が挿入されている。
【００４０】
そして、外力を加えない状態では、板バネ体２４の円筒部２４ａが操作棒本体１０２を挟持して、取付部２つまり間接活線工具用保護カバー１が操作棒本体１０２に固定される。また、ヤットコなどが取り付けられた別の間接活線工具で、凸部２４ｂを操作棒本体１０２側に押すと、円筒部２４ａの径が大きくなって操作棒本体１０２の挟持が解除され、間接活線工具用保護カバー１を操作棒本体１０２に対してスライド・移動させることが可能となる。続いて、凸部２４ｂを離すと、円筒部２４ａの径が再び小さくなって操作棒本体１０２を挟持し、間接活線工具用保護カバー１が操作棒本体１０２に固定されるものである。
【００４１】
このように、この実施の形態によれば、凸部２４ｂを押したり離したりすることで、ワンタッチで間接活線工具用保護カバー１を移動したり固定したりすることができ、保護部３つまり間接活線工具用保護カバー１の位置を容易かつ迅速に調整することが可能となる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、間接活線工具用保護カバー１を既存、既製の間接活線工具１００に取り付けているが、間接活線工具１００に間接活線工具用保護カバー１（取付部２と保護部３）を一体的に備えた間接活線工具としてもよい。
【００４３】
また、操作棒本体１０２に対する取付部２の取付位置を変えることで、先端工具１１０に対する保護部３の位置を調整できるようにしているが、取付部２に対して保護部３を移動可能にすることで、先端工具１１０に対する保護部３の位置を調整できるようにしてもよい。さらに、種々の先端工具１１０に対して１つの間接活線工具用保護カバー１で対応するようにしているが、各先端工具１１０に適合した形状、大きさの間接活線工具用保護カバー１（取付部２と保護部３）を設けるようにしてもよい。また、ボルト２３や板バネ体２４で取付部２を取り付けているが、クランプ機構やクリップなどによってワンタッチで、取付部２を取り付けたり取り外したりできるようにしてもよい。
【符号の説明】
【００４４】
１        間接活線工具用保護カバー
２        取付部
２１      第１の取付部
２２      第２の取付部
２３      ボルト
２４      板バネ体
３        保護部
３１      第１の保護部
３２      第２の保護部
３３      ヒンジ
４        連結部
１００    間接活線工具
１０１    絶縁操作棒
１０２    操作棒本体
１０３    第１の接続部材
１１０    先端工具
１１３    第２の接続部材
１２０    接続部
【要約】
【課題】  地絡事故や感電などを防止、抑制することが可能な間接活線工具用保護カバーを提供する。
【解決手段】  絶縁操作棒１０１の先端部に金属製の先端工具１１０が取り付けられた間接活線工具１００を保護するための保護カバーであり、絶縁操作棒１０１に取り付けられる取付部２と、取付部２に連結され、電気絶縁性の筒状で、絶縁操作棒１０１と先端工具１１０との接続部１２０を覆い先端工具１１０側に延びる保護部３と、を備える。
【選択図】  図１【図１】
0005903145.tif 000002
【図２】
0005903145.tif 000003
【図３】
0005903145.tif 000004
【図４】
0005903145.tif 000005
【図５】
0005903145.tif 000006